(57)【特許請求の範囲】
【請求項１】
ＬＥＤを負荷とする電源回路であって、
入力電圧を定格出力値に変換して第１のコンデンサに充電する直流変換回路、
前記第１のコンデンサの充電電圧から前記ＬＥＤへの負荷電流を生成するための電流制御回路、
前記第１のコンデンサの充電経路に挿入された充電抑制回路であって、入力電流を制限する電流制限状態及び該制限が解除された電流通過状態を有し、入力電圧遮断後の所定期間は該電流通過状態が維持されるように構成された充電抑制回路、及び
前記充電電圧が、前記ＬＥＤの順電圧Ｖｆよりも高く設定された設定値以下になると前記電流制御回路の動作を停止させて前記第１のコンデンサの放電を抑制する放電抑制回路
を備えた電源回路。
【請求項２】
請求項１に記載の電源回路において、前記充電抑制回路が抵抗、トランジスタ、該トランジスタを駆動する駆動部、及び第２のコンデンサを有し、該抵抗が前記充電経路に挿入され、該トランジスタの入力端子及び出力端子が該抵抗の両端子にそれぞれ接続され、該第２のコンデンサが該トランジスタの制御端子と該出力端子の間の電圧を保持するように接続され、該駆動部が前記入力電圧を受けて該第２のコンデンサを充電し、該第２のコンデンサの電圧が閾値以上の場合に該入力端子と該出力端子が導通するよう構成された電源回路。
【請求項３】
請求項１に記載の電源回路において、前記設定値が前記定格出力値の８０％以上９５％以下である電源回路。
【請求項４】
請求項１から３いずれか一項に記載の電源回路、該電源回路の前記電流制御回路の出力端に接続された前記ＬＥＤ、及び該電源回路を内包するとともに該ＬＥＤが取り付けられた筐体を備えたＬＥＤ照明装置。
【請求項５】
放電灯を負荷とする電源回路であって、
入力電圧を定格出力値に変換して第１のコンデンサに充電する直流変換回路、
前記第１のコンデンサの充電電圧から前記放電灯への負荷電流を生成するための電流制御回路、
前記第１のコンデンサの充電経路に挿入された充電抑制回路であって、入力電流を制限する電流制限状態及び該制限が解除された電流通過状態を有し、入力電圧遮断後の所定期間は該電流通過状態が維持されるように構成された充電抑制回路、及び
前記充電電圧が設定値以下になると前記電流制御回路に負荷電流を低減させて前記放電灯を調光点灯するとともに前記第１のコンデンサの放電を抑制する放電抑制回路
を備えた電源回路。
【発明の詳細な説明】
【技術分野】
【０００１】
本発明は電源回路及びそれを備えたＬＥＤ照明装置に関し、特に、突入電流対策を強化した電源回路及びそれを備えたＬＥＤ照明装置に関する。
【背景技術】
【０００２】
図４に従来の電源回路を示す。電源回路は、ＡＣ電源電圧を直流電圧に変換してコンデンサ１５に充電するＡＣ−ＤＣ変換回路１及びコンデンサ１５の充電電圧からＬＥＤ５への電流を制限するための電流制御回路３を備え、ＡＣ−ＤＣ変換回路１は突入電流防止回路２を含む。突入電流防止回路２は、ＡＣ電源投入時にコンデンサ１５への充電電流として大電流が流れるのを防止する。そのような大電流が防止されないと、電源回路内においては、コンデンサ１５の充電経路上にある整流回路等の部品の故障やヒューズ溶断といった問題が起こる可能性があり、電源回路外においても、電源スイッチ接点の溶着、ブレーカの切断、電源電圧の不安定化及びそれに伴う（電源を共有する）他の機器などへの影響といった問題が起こる可能性がある（例えば、特許文献１及び２参照）。
【０００３】
突入電流防止回路２について、ＡＣ電源が投入される時点でトランジスタ２２はオフ状態（非導通状態）であり、電流制限抵抗２１に入力電流が流れる。従って、突入電流が防止された状態でコンデンサ１５が充電されていく。その過程で、トランジスタ２２のソース側端子の電位が上昇していくとゲート駆動部２３が動作を開始する。ゲート駆動部２３は抵抗２４とコンデンサ２５の時定数に従ってトランジスタ２２のゲート電圧を発生させる。そして、ゲート・ソース間電圧が閾値を超えるとトランジスタ２２がオン状態（導通状態）となり、電流制限抵抗２１がバイパスされる。以降、コンデンサ２５で平滑されるゲート・ソース間電圧によってトランジスタ２２のオン状態が維持される。これにより、ＡＣ電源の初回投入時の突入電流を防止するとともに定常動作時の電流制限抵抗２１における損失を防止することができる。
【先行技術文献】
【特許文献】
【０００４】
【特許文献１】特許第４２４９５４２号
【特許文献２】特開平１１−２８９６５７号公報
【発明の概要】
【発明が解決しようとする課題】
【０００５】
しかし、上記構成では、ＡＣ電源が瞬時停電した場合又はＡＣ電源が一旦オフされた後に短時間でオンされた場合、即ち、ＡＣ電源が数ミリ秒〜数秒間遮断された場合でも、コンデンサ１５及び２５にある程度の電圧が残っていれば電源回路は定常動作を継続する。即ち、ＡＣ電源電圧が一時的に遮断されても、コンデンサ２５の電圧が抵抗２６によって完全には放電されずにトランジスタ２２のオン状態が維持される。その一方で、コンデンサ１５の電圧は電流制御回路３の動作によってＬＥＤ５への負荷電流として放電される。その結果、ＡＣ電源の遮断期間によっては、コンデンサ２５に電圧が残る一方で、コンデンサ１５の電圧が大幅に減った状態となる可能性がある。この状態でＡＣ電源が復帰すると、電流制限抵抗２１がトランジスタ２２によってバイパスされた状態で大電流（即ち、突入電流）がコンデンサ１５に流れ込むことになる。
【０００６】
このように、ＡＣ電源復帰時の突入電流がトランジスタ２２を介してコンデンサ１５に流れ込むと、トランジスタ２２がその大電流により故障する可能性がある。また、突入電流防止回路２がその機能を果たさない状態となるため、上述した突入電流に起因する種々の問題が発生する可能性がある。
【０００７】
そこで、本発明は、ＡＣ電源が短時間遮断された後に復帰した場合でも、突入電流を抑制して突入電流防止回路を保護するとともに突入電流に起因する種々の問題を回避することができる電源回路及びそれを用いたＬＥＤ照明装置を提供することを課題とする。
【課題を解決するための手段】
【０００８】
本発明の第１の側面の電源回路は、入力電圧を定格出力値に変換して第１のコンデンサに充電する直流変換回路、第１のコンデンサの充電電圧から負荷電流を生成するための電流制御回路、第１のコンデンサの充電経路に挿入された充電抑制回路であって、入力電流を制限する電流制限状態及び制限が解除された電流通過状態を有し、入力電圧遮断後の所定期間は電流通過状態が維持されるように構成された充電抑制回路、及び充電電圧が設定値以下になると電流制御回路に負荷電流を低減させて第１のコンデンサの放電を抑制する放電抑制回路を備える。
【０００９】
一実施例として、充電抑制回路は抵抗、トランジスタ、トランジスタを駆動する駆動部、及び第２のコンデンサを有する。抵抗が充電経路に挿入され、トランジスタの入力端子及び出力端子が抵抗の両端子にそれぞれ接続され、第２のコンデンサがトランジスタの制御端子と出力端子の間の電圧を保持するように接続され、駆動部が入力電圧を受けて第２のコンデンサを充電し、第２のコンデンサの電圧が閾値以上の場合に入力端子と出力端子が導通するよう構成される。
【００１０】
ここで、放電抑制回路は、充電電圧が設定値以下になると電流制御回路の動作を停止させるように構成されてもよい。
【００１１】
また、上記設定値は、好ましくは定格出力値の８０％以上９５％以下である。
【００１２】
本発明の第２の側面は、上記第１の側面の電源回路、電源回路の電流制御回路の出力端に接続されたＬＥＤ、及び電源回路を内包するとともにＬＥＤが取り付けられた筐体を備えたＬＥＤ照明装置である。
【図面の簡単な説明】
【００１３】
【図１】本発明の実施例による電源回路の回路構成図である。
【図２】本発明の実施例によるＬＥＤ照明装置の図である。
【図３】本発明の変形例による電源回路の回路構成図である。
【図４】従来の電源回路の回路構成図である。
【発明を実施するための形態】
【００１４】
実施例．
図１に本発明の実施例による電源回路の回路構成図を示す。電源回路は、ＡＣ電源電圧を直流変換して平滑用のコンデンサ１５に充電するＡＣ−ＤＣ変換回路１（直流変換回路）、コンデンサ１５の充電電圧からＬＥＤ５への負荷電流を生成するための電流制御回路３、コンデンサ１５の充電経路に挿入された突入電流防止回路２（充電抑制回路）、及び充電電圧が設定値以下になると電流制御回路３を停止させてコンデンサ１５の放電を抑制する放電抑制回路４を備える。なお、図１では、負荷として単一の素子からなるＬＥＤ５を図示しているが、ＬＥＤ５は複数のＬＥＤ素子が直列接続される構成も含む趣旨で図示されている。
【００１５】
ＡＣ−ＤＣ変換回路１は、整流器１１、コイル１２、トランジスタ１３、ダイオード１４及びコンデンサ１５を備え、昇圧チョッパ回路を構成する。トランジスタ１３はゲート駆動部１６によってスイッチング制御され、例えば、整流器１１の出力の脈流に同期してＰＷＭ制御される。これにより、ＡＣ電源電圧（１００Ｖ、２００Ｖ等）が定格出力値（例えば、４００Ｖ程度）に昇圧され、コンデンサ１５に充電される。
【００１６】
なお、本明細書において、「トランジスタ」とは、電界効果トランジスタ（ＦＥＴ）及びいわゆるバイポーラトランジスタを含むものとして記載される。従って、本願において、トランジスタの入力端子とはドレイン端子、コレクタ端子等のことであり、制御端子とはゲート端子、ベース端子等のことであり、出力端子とはソース端子、エミッタ端子等のことである。  
【００１７】
突入電流防止回路２は、電流制限抵抗２１、トランジスタ２２、トランジスタ２２のゲート駆動部２３、抵抗２４、コンデンサ２５及び抵抗２６を備える。ＡＣ電源が投入される時点でトランジスタ２２はオフ状態（非導通状態）であり、電流制限抵抗２１に入力電流が流れる。従って、突入電流が防止された状態でコンデンサ１５が充電されていく。その過程で、トランジスタ２２のソース側端子の電位が上昇していくとゲート駆動部２３が動作を開始する。ゲート駆動部２３はトランジスタ２２のゲート電圧を発生させ、ゲート・ソース間電圧は抵抗２４とコンデンサ２５の時定数で上昇していく。そして、ゲート・ソース間電圧がトランジスタ２２の閾値を超えるとトランジスタ２２がオン状態（導通状態）となり、電流制限抵抗２１がバイパスされる。以降、ＡＣ電源電圧の脈流にかかわらず、コンデンサ２５で平滑されるゲート・ソース間電圧によってトランジスタ２２のオン状態が維持される。これにより、ＡＣ電源の初回投入時の突入電流を防止するとともに定常動作時の電流制限抵抗２１における損失を防止することができる。
【００１８】
即ち、突入電流防止回路２は、トランジスタ２２がオフ状態で入力電流を制限する電流制限状態、及びトランジスタ２２がオン状態で電流制限が解除された電流通過状態を有する。そして、入力電圧投入後のコンデンサ２５の充電期間内は電流制限状態が維持され、コンデンサ２５の充電期間経過後に電流通過状態となる。一方、入力電圧遮断後のコンデンサ２５の放電期間内は電流通過状態が維持され、コンデンサ２５の放電期間経過後に電流制限状態となる。
【００１９】
電流制御回路３は、トランジスタ３１、コイル３２、ダイオード３３及びコンデンサ３４を備え、降圧チョッパ回路を構成する。トランジスタ３１はゲート駆動部３５（例えば、ゲート駆動ＩＣ）によってＰＷＭ制御され、ＬＥＤ５に流れる負荷電流が所望値となるように制御される。具体的には、トランジスタ３１のオン時には、コンデンサ１５からトランジスタ３１→コイル３２→ＬＥＤ５に電流が流れ、トランジスタ３１のオフ時には、コイル３２に蓄えられたエネルギーを元に、コイル３２→ＬＥＤ５→ダイオード３３に電流が流れる。ゲート駆動部３５はこのトランジスタ３１のオン幅を制御する。本実施例では、ゲート駆動部３５の動作は、端子Ａがハイ（開放状態）の場合にはアクティブ（定常動作）となり、端子Ａがロー（グランド接続状態）の場合には停止状態となるものとする。
【００２０】
放電抑制回路４は、抵抗４１、抵抗４２及びツェナーダイオード４３からなる検出部、並びにトランジスタ４４、抵抗４５、抵抗４６及びトランジスタ４７からなる切替え部を備える。検出部はコンデンサ１５の充電電圧を検出し、検出充電電圧に応じて切替え部の動作状態が切り替わる。例えば、定常動作時にコンデンサ１５の充電電圧が定格値（４００Ｖ）である場合には、トランジスタ４４はオン状態となり、これにより、トランジスタ４７がオフ状態となる。トランジスタ４７がオフ状態の場合には、上述したようにゲート駆動部３５（即ち、電流制御回路３）は定常動作を継続する。一方、ＡＣ電源電圧の低下によりコンデンサ１５の充電電圧が設定値（本例では３６０Ｖ）以下となった場合には、トランジスタ４４がオフ状態となり、これにより、トランジスタ４７がオン状態となる。トランジスタ４７がオン状態の場合には、上述したようにゲート駆動部３５は動作を停止し、トランジスタ３１がオフ状態となり電流制御回路３の出力が停止される。
【００２１】
即ち、ＡＣ電源が瞬時停電等により一時的に遮断された場合、それまでは４００Ｖであったコンデンサ１５の充電電圧は、電流制御回路３によるＬＥＤ５への通電により放電されて３６０Ｖまで低下するが、充電電圧が３６０Ｖ以下となった時点でゲート駆動部３５の動作が停止される。従って、電流制御回路３が停止し、コンデンサ１５の充電電圧は約３６０Ｖで維持される。
【００２２】
一方、突入電流防止回路２のコンデンサ２５の電圧が維持されていればトランジスタ２２はオン状態が継続され得る。ここで、ＡＣ電源復帰時にＡＣ−ＤＣ変換回路１の昇圧動作が継続しているものとすると、ＡＣ−ＤＣ変換回路１は設定値付近の約３６０Ｖから定格出力値の４００Ｖまでの約４０Ｖを回復する動作を行うだけであるので、コンデンサ１５に流れ込む電流は従来技術におけるような突入電流に比べれば格段に小さい。
【００２３】
設定値はＡＣ−ＤＣ変換回路１の昇圧能力やコンデンサ１５の容量を考慮して決定される。設定値は、ＡＣ−ＤＣ変換回路１の出力誤差の下限値以下とすることが望ましく、これにより放電抑制回路４の不要な動作を防止することができる。この出力誤差はゲート駆動部１６に用いるゲート駆動ＩＣの仕様によって決まることから、例えば、設定値は定格出力値の約９５％以下であることが好ましい。また、本発明の効果をより発揮するために、設定値は定格出力値の約８０％以上であることが好ましい。従って、設定値は定格出力値の８０％以上９５％以下程度であることが好ましく、９０％程度が最も好ましい。なお、ＡＣ電源遮断時にコンデンサ１５の電圧がＬＥＤ５の順電圧（Ｖｆ）以下となれば負荷電流がなくなるのでコンデンサ１５の電圧はそれ以上放電されないが、ＬＥＤ５のＶｆが定格出力値よりも大幅に低い場合はＡＣ電源復帰時に突入電流が発生し得る。従って、設定値はＬＥＤ５のＶｆより高い方が望ましい。
【００２４】
なお、ＡＣ電源復帰時にＡＣ−ＤＣ変換回路１が非動作状態であれば、コンデンサ１５の電圧（３６０Ｖ）はＡＣ電源電圧のピーク電圧（１４１Ｖ又は２８２Ｖ）よりも高くダイオード１４がオフ状態となるので、入力電流がコンデンサ１５に流れ込むことはない。
【００２５】
また、ＡＣ電源が遮断後に充分に時間が経ってから復帰する場合（例えば、遮断期間が数秒以上の場合）には、突入電流防止回路２のコンデンサ２５の電圧が抵抗２６によって放電されているのでトランジスタ２２はオフ状態となる。従って、ＡＣ−ＤＣ変換回路１、電流制御回路３及び放電抑制回路４の動作にかかわらず、突入電流防止回路２によって突入電流が防止される。
【００２６】
また、さらに長い遮断期間（例えば、数分以上）においては、長時間にわたる高電圧の充電状態を防止するため、コンデンサ１５の電圧は抵抗４１及び４２並びに抵抗４５及び４６により放電されることが望ましい。このように、検出部を構成する抵抗４１及び４２の直列抵抗回路や切替え部の動作電圧を生成するための抵抗４５及び４６の直列抵抗回路は、長時間的な視点におけるコンデンサ１５の残電圧の放電回路としても機能する。但し、少なくともコンデンサ２５の放電期間よりも長い期間にわたってコンデンサ１５の電圧が設定値付近に留まる程度に抵抗４１、４２、４５及び４６を選定する必要がある。
【００２７】
また、放電抑制回路４は、抵抗、ツェナーダイオード及びトランジスタからなるアナログ回路の代わりにマイコンで構成することもできる。例えば、抵抗４１及び４２によって検出された電圧をマイコンの入力ポートに入力し、検出電圧が所定値以下となった場合に出力ポートからゲート駆動部３５に停止信号を出力するようにしてもよい。
【００２８】
上記構成においては、検出充電電圧が設定値以下となったときに電流制御回路３の動作を停止させる構成を示したが、電流制御回路３の動作を完全に停止させない構成としてもよい。例えば、ＡＣ電源遮断中に、放電抑制回路４が電流制御回路３を間欠的に動作させたり、電流制御回路３を低出力状態（好ましくは最小出力状態）で動作させたりするようにしてもよい。例えば、負荷がＬＥＤの場合、上記の間欠動作状態ではＬＥＤが点滅され、低出力状態では調光点灯される。また、負荷が放電灯の場合、放電灯の寿命等の観点から点滅は好ましくないため、間欠動作ではなく低出力動作により調光点灯されるようにすればよい。これにより、コンデンサ１５の電圧は設定値の上限値から下限値に向けて徐々に低下していく。
【００２９】
以上のように、本実施例の電源回路によると、ＡＣ電源が短時間遮断された場合でも放電抑制回路４がコンデンサ１５からの放電を抑制することにより、ＡＣ電源復帰時のコンデンサ１５への充電電流を軽減して突入電流防止回路２を保護することができる。また、突入電流防止回路２の保護だけでなく、コンデンサ１５の充電経路上にある整流器１１、ダイオード１４等の回路部品も保護することができ、その他上述した突入電流に起因する種々の問題を回避することができる。
【００３０】
ここで、ＡＣ電源遮断時に電流制御回路３が停止することによりＬＥＤ５は消灯するが、ＬＥＤは高圧放電灯等と異なり、再点灯における特別なシーケンス（高電圧印加、立ち上がり制御等）は不要であるので、ＡＣ電源復帰時には単に電流制御回路３の動作を再開するだけでよい。また、ＡＣ電源が瞬時停電した場合にＬＥＤ５が瞬停期間とほぼ同じ時間だけ消灯しても、使用者において視覚的な支障はほとんどない。従って、ＡＣ電源の瞬停期間にＬＥＤ５を消灯することに問題はなく、言い換えると、本発明の電源回路の構成はＬＥＤ照明装置に特に適したものといえる。
【００３１】
図２に上記の電源回路を搭載したＬＥＤ照明装置の概略構成を示す。ＬＥＤ照明装置は、ＡＣ電源から配線Ｌ１及びＬ２を介して給電される電源回路６、電源回路６の出力端に接続されたＬＥＤ５、及び電源回路６を内包する筐体７を備える。なお、図２では電源回路６とＬＥＤ５が一体化されたものを示しているが、ＬＥＤ５がケーブルを介して電源回路６及び筐体７から別置されるものであってもよい。
【００３２】
このように、ＡＣ電源が瞬時停電した場合又はＡＣ電源が一旦オフされた後に短時間でオンされた場合でも、ＡＣ電源復帰時にＬＥＤ照明装置に大電流が流れるのが防止される。従って、ＡＣ電源復帰時の大電流による電源回路内の問題、即ち、回路部品故障、ヒューズ溶断だけでなく、電源回路外の問題、即ち、電源スイッチ接点の溶着、ブレーカの切断、電源電圧の不安定化及びそれに伴う（電源を共有する）他の機器などへの影響が防止される。
【００３３】
変形例．
上記実施例では、突入電流防止回路として電流制限抵抗とそれに並列接続されたバイパス用トランジスタからなる構成を示したが、本変形例では他の突入電流防止回路としてサーミスタを用いる例を示す。図３に本変形例の回路構成図を示す。図１に示す実施例との相違は、突入電流防止回路２´がサーミスタ２７からなる点である。なお、突入電流防止回路２´以外の構成は上記実施例と同様であるのでその説明を省略する。
【００３４】
サーミスタ２７は、温度の上昇に対して抵抗値が単調減少するＮＴＣサーミスタからなる。従って、サーミスタ２７はＡＣ電源投入直後の低温状態では高抵抗であるのでコンデンサ１５への入力電流を制限し、その後電流が流れることにより自己発熱して低抵抗となり、サーミスタ２７の損失は小さくなる。ここで、ＡＣ電源が短時間停電した場合、その停電期間はサーミスタ２７に電流が流れなくなるが、高温状態は維持されるので、サーミスタ２７の抵抗値は大きくは上昇しない。
【００３５】
即ち、突入電流防止回路２´も突入電流防止回路２と同様に、サーミスタ２７が低温状態で入力電流を制限する電流制限状態、及びサーミスタ２７が高温状態で電流制限が解除された電流通過状態を有する。そして、入力電圧投入後のサーミスタ２７の温度上昇期間内は電流制限状態が維持され、サーミスタ２７の温度上昇期間経過後に電流通過状態となる。一方、入力電圧遮断後のサーミスタ２７の温度低下期間内は電流通過状態が維持され、サーミスタ２７の温度低下期間経過後に電流制限状態となる。従って、放電抑制回路４がないと仮定すると、図４に示す従来技術の場合と同様にＡＣ電源復帰時にコンデンサ１５への突入電流が発生してしまうことになる。
【００３６】
そこで、本変形例の電源回路も、ＡＣ電源の短時間停止時に上記実施例と同様に動作する放電抑制回路４を備える。なお、サーミスタ２７の温度が低下して抵抗値が充分に高くなるのに要する時間は、実施例におけるコンデンサ２５の電圧が抵抗２６によって放電される時間（時定数）よりも長い。従って、突入電流防止回路２´が機能を回復するまで放電抑制回路４を機能させてコンデンサ１５の放電を遅らせることが望ましい。ＡＣ電源停止時にコンデンサ１５の放電をより遅らせるためには、抵抗４１、４２、４５及び４６の抵抗値を実施例の場合よりも高くし、又は設定値を高めに設定すればよい。但し、少なくともサーミスタ２７の温度低下期間よりも長い期間にわたってコンデンサ１５の電圧が設定値付近に留まる程度に抵抗４１、４２、４５及び４６を選定する必要がある。
【００３７】
このように、本変形例の電源回路によると、ＡＣ電源が短時間遮断された場合でも放電抑制回路４がコンデンサ１５からの放電を抑制することにより、ＡＣ電源復帰時のコンデンサ１５への充電電流を軽減できる。これにより、コンデンサ１５の充電経路上にある整流器１１、ダイオード１４等の回路部品を保護することができ、その他上述した突入電流に起因する種々の問題を回避することができる。
【００３８】
なお、上記実施例及び変形例においては本発明の最も好適な例を示したが、本発明は以下のように変形可能である。
例えば、上記実施例及び変形例では、入力電源をＡＣ電源としたが、ＤＣ電源の場合にも本発明を適用できる。この場合、ＡＣ−ＤＣ変換回路１は周知の構成のＤＣ−ＤＣ変換回路に置き換えられる。
【００３９】
また、上記実施例及び変形例では、突入電流制御回路２及び２´の電流制限抵抗２１及びサーミスタ２７が充電経路の高電位側に挿入される構成を示したが、電流制限抵抗２１又はサーミスタ２７が充電経路の低電位側（グランドライン側）に挿入される構成としてもよい。即ち、突入電流抑制回路は、実施例又は変形例で示した構成に限られず、ＡＣ電源投入時に平滑用コンデンサ１５への電流の流入を制限した後に所定の時定数をもってその制限を解除するような充電抑制回路であればよい。また、上記実施例では、突入電流抑制回路２をＮ型のトランジスタ２２を用いて構成したが、Ｐ型のトランジスタを用いて構成してもよい。
【００４０】
また、上記実施例及び変形例では、電流制御回路３を降圧チョッパ回路としたが、フライバックコンバータ等の他の回路形式のものであってもよい。また、電流制御回路３として、負荷に応じて降圧回路、昇圧回路、交流変換回路等を適用することができる。例えば、負荷が蛍光灯等の交流点灯用の放電灯である場合には、電流制御回路３はブリッジ回路等のＤＣ−ＡＣ変換回路となる。即ち、本発明における電流制御回路３は、動作することにより、平滑用コンデンサ１５の充電電圧を負荷側に放電するものであればよい。
【符号の説明】
【００４１】
１．ＡＣ−ＤＣ変換回路（直流変換回路）
２、２´．突入電流防止回路（充電抑制回路）
３．電流制御回路
４．放電抑制回路
５．ＬＥＤ（負荷）
６．電源回路
７．筐体
１５．コンデンサ
２１．電流制限抵抗
２２．トランジスタ
２３．ゲート駆動部
２４、２６．抵抗
２５．コンデンサ
２７．サーミスタ
４１、４２、４５、４６．抵抗
４３．ツェナーダイオード
４４、４７．トランジスタ
【図１】
0005929457.tif 000002
【図２】
0005929457.tif 000003
【図３】
0005929457.tif 000004
【図４】
0005929457.tif 000005